(57)【特許請求の範囲】
【請求項１】
ガス冷媒を吐出する圧縮機、および、前記圧縮機の冷媒吸込側に接続された室外熱交換器を有する室外機に対し、
前記室外機の圧縮機の冷媒吐出側にガス冷媒配管を介して接続された室内暖房用の室内熱交換器、および、前記室内熱交換器の冷媒出側と前記室外機の室外熱交換器の冷媒入側へつながる液冷媒配管との間に設けられた絞り装置を有する室内機を、
複数台並列に接続して成る空気調和装置において、
各室内機へ分岐する前記ガス冷媒配管の分岐部よりも各室内熱交換器寄りに、各ガス冷媒配管の冷媒流路を開閉する開閉弁と、ガス冷媒圧力を検知する圧力検知手段と、をそれぞれ設け、
開閉弁を全開状態と全閉状態のほか微少開度開くように構成し、
少なくとも１台の室内機が暖房運転中であり、かつ、少なくとも１台の他の室内機が停止中である状態から、前記停止中の室内機が暖房運転を開始するにあたり、
前記停止中の室内機の圧力検知手段により検知された検知圧力が予め設定された所定条件を満たさない間は開閉弁を微少開度だけ開き、前記圧力検知手段の検知圧力が前記所定条件を満たしたときに前記開閉弁を全開にすることを特徴とする空気調和装置。
【請求項２】
ガス冷媒を吐出する圧縮機、および、前記圧縮機の冷媒吸込側に接続された室外熱交換器を有する室外機に対し、
前記室外機の圧縮機の冷媒吐出側にガス冷媒配管を介して接続された室内暖房用の室内熱交換器、および、前記室内熱交換器の冷媒出側と前記室外機の室外熱交換器の冷媒入側へつながる液冷媒配管との間に設けられた絞り装置を有する室内機を、
複数台並列に接続して成る空気調和装置において、
各室内機へ分岐する前記ガス冷媒配管の分岐部よりも各室内熱交換器寄りに、各ガス冷媒配管の冷媒流路を開閉する開閉弁と、ガス冷媒温度を検知する温度検知手段と、をそれぞれ設け、
開閉弁を全開状態と全閉状態のほか微少開度開くように構成し、
少なくとも１台の室内機が暖房運転中であり、かつ、少なくとも１台の他の室内機が停止中である状態から、前記停止中の室内機が暖房運転を開始するにあたり、
前記停止中の室内機の温度検知手段により検知された検知温度が予め設定された所定条件を満たさない間は開閉弁を微少開度だけ開き、前記温度検知手段の検知温度が前記所定条件を満たしたときに前記開閉弁を全開にすることを特徴とする空気調和装置。
【請求項３】
ガス冷媒を吐出する圧縮機、および、前記圧縮機の冷媒吸込側に接続された室外熱交換器を有する室外機に対し、
前記室外機の圧縮機の冷媒吐出側にガス冷媒配管を介して接続された室内暖房用の室内熱交換器、および、前記室内熱交換器の冷媒出側と前記室外機の室外熱交換器の冷媒入側へつながる液冷媒配管との間に設けられた絞り装置を有する室内機を、
複数台並列に接続して成る空気調和装置において、
各室内機へ分岐する前記ガス冷媒配管の分岐部よりも各室内熱交換器寄りに、各ガス冷媒配管の冷媒流路を開閉する開閉弁をそれぞれ設け、
各室内機毎の停止時間を計時する停止時間タイマを備え、
開閉弁を全開状態と全閉状態のほか微少開度開くように構成し、
少なくとも１台の室内機が暖房運転中であり、かつ、少なくとも１台の他の室内機が停止中である状態から、前記停止中の室内機が暖房運転を開始するにあたり、
前記停止時間タイマにより計時された前記室内機の停止時間が予め設定された所定条件を満たさない間は当該室内機の開閉弁を微少開度だけ開き、前記停止時間タイマにより計時された停止時間が前記所定条件を満たしたときに前記開閉弁を全開にすることを特徴とする空気調和装置。
【請求項４】
開閉弁を微少開度開いた状態から全開の状態へ開くにあたり、前記開閉弁を微少開度開いた状態から全開の状態まで時間経過につれてステップ状に変化させることを特徴とする請求項第１項乃至第３項のいずれかに記載の空気調和装置。
【請求項５】
複数台の室内機を、運転と停止が同期して行われる室内機から成るグループにグループ分けするとともに、各グループへ分岐するガス冷媒配管の分岐部よりも各室内機寄りに、各ガス冷媒配管の冷媒流路を開閉する開閉弁をそれぞれ設けたことを特徴とする請求項第１項乃至第４項のいずれかに記載の空気調和装置。
【請求項６】
請求項第１項乃至第５項のいずれかに記載の空気調和装置に用いられる開閉弁であって、
ガス冷媒配管がそれぞれ接続されるガス冷媒入側穴およびガス冷媒出側穴を有する弁ケーシングと、
前記弁ケーシングに形成されたロータ収容空間内に回動自在に配備されて連通穴を有するロータ弁体と、
前記ロータ収容空間内のロータ弁体を回転駆動し、前記ガス冷媒入側穴および前記ガス冷媒出側穴に対し当該連通穴の冷媒流路断面積を変化させるモータと、
前記弁ケーシングに形成され、絞り装置の絞り弁体を移動自在の状態で収容する絞り弁収容空間と、
前記絞り弁収容空間内に形成されて前記絞り弁体により開閉される弁座と、
を備えて成り、
ロータ弁体を回転駆動するモータにより前記絞り弁収容空間内の絞り弁体を前記弁座に対し開閉駆動するように構成するとともに、前記モータの駆動連結先を前記ロータ弁体または前記絞り弁体に切り替える駆動切替手段を備えていることを特徴とする開閉弁。
【請求項７】
ロータ弁体に連通穴を複数設けるとともに、弁ケーシングには前記ロータ弁体のそれぞれの連通穴と開閉可能に連通する冷媒入側穴および冷媒出側穴を複数組設けたことを特徴とする請求項第６項に記載の開閉弁。
【発明の詳細な説明】
【０００１】
【発明の属する技術分野】
本発明は、室外機に複数の室内機を並列に接続して暖房運転を行う空気調和装置、および、室内機の暖房運転時に冷媒の入側となるガス冷媒配管に設けられる開閉弁に関するものである。
【０００２】
【従来の技術】
図１８に従来の空気調和装置の構成図を示す。図１８において、１は室外機、２は圧縮機、３は四方弁、４は室外熱交換器、５は室外機１と室内機を接続するガス冷媒配管、６は室外機１と室内機を接続する液冷媒配管、７，８，９は運転・停止を個別自由に行うことのできる室内機、１０，１１，１２はそれぞれ室内機７，８，９の絞り装置、１３，１４，１５はそれぞれ室内機７，８，９の室内熱交換器を表す。また、５ａは各室内熱交換器１３，１４，１５へ分岐するガス冷媒配管５の分岐部、６ａは各絞り装置１０，１１，１２から合流する液冷媒配管６の合流部である。
【０００３】
次に、図１８の空気調和装置の暖房運転時の動作を説明する。圧縮機２で圧縮された高温高圧のガス冷媒は四方弁３で流れ方向をガス冷媒配管５の方に切り替えられ、ガス冷媒配管５を通過して室内機７，８，９へ流入し、室内熱交換器１３，１４，１５で凝縮液化する。凝縮液化した冷媒は絞り装置１０，１１，１２で減圧されて低圧二相状態となり、液冷媒配管６を通過して室外機１に戻り、室外熱交換器４で蒸発して低圧ガス状態となって圧縮機２に吸入される。
図１８の空気調和装置において、例えば室内機７および室内機８が暖房運転を行い、室内機９が停止する場合を想定すると、絞り装置１０および絞り装置１１は暖房運転を行うのに必要な所定の開度となるように制御され、絞り装置１２は全閉の状態、もしくは冷媒が室内熱交換器１５に溜まり込むのを防ぐために微少開度開いた状態にされる。
【０００４】
【発明が解決しようとする課題】
上記した従来の空気調和装置において、停止中の室内機以外に運転中の室内機が存在する場合、停止中の室内機の室内熱交換器で冷媒が凝縮して溜まり込むことにより冷凍サイクル内を流通する冷媒が不足することがある。かかる場合には、例えば圧縮機の吐出温度が上昇しすぎて圧縮機が損傷するという不具合がある。また、停止中の室内機の室内熱交換器で冷媒が凝縮するため、無駄な熱エネルギーが発生する。加えて、停止中であるにもかかわらず室内機の設置された部屋の室温が上昇するという不具合もあった。
【０００５】
【課題を解決するための手段】
上述した問題を解決するために、この発明の第１の発明に係わる空気調和装置は、ガス冷媒を吐出する圧縮機、および、圧縮機の冷媒吸込側に接続された室外熱交換器を有する室外機に対し、室外機の圧縮機の冷媒吐出側にガス冷媒配管を介して接続された室内暖房用の室内熱交換器、および、室内熱交換器の冷媒出側と室外機の室外熱交換器の冷媒入側へつながる液冷媒配管との間に設けられた絞り装置を有する室内機を、複数台並列に接続して成る空気調和装置において、各室内機へ分岐するガス冷媒配管の分岐部よりも各室内熱交換器寄りに、各ガス冷媒配管の冷媒流路を開閉する開閉弁と、ガス冷媒圧力を検知する圧力検知手段と、をそれぞれ設け、開閉弁を全開状態と全閉状態のほか微少開度開くように構成し、少なくとも１台の室内機が暖房運転中であり、かつ、少なくとも１台の他の室内機が停止中である状態から、停止中の室内機が暖房運転を開始するにあたり、停止中の室内機の圧力検知手段により検知された検知圧力が予め設定された所定条件を満たさない間は開閉弁を微少開度だけ開き、圧力検知手段の検知圧力が所定条件を満たしたときに開閉弁を全開にするものである。
【０００９】
また、この発明の第２の発明に係わる空気調和装置は、ガス冷媒を吐出する圧縮機、および、圧縮機の冷媒吸込側に接続された室外熱交換器を有する室外機に対し、室外機の圧縮機の冷媒吐出側にガス冷媒配管を介して接続された室内暖房用の室内熱交換器、および、室内熱交換器の冷媒出側と室外機の室外熱交換器の冷媒入側へつながる液冷媒配管との間に設けられた絞り装置を有する室内機を、複数台並列に接続して成る空気調和装置において、各室内機へ分岐するガス冷媒配管の分岐部よりも各室内熱交換器寄りに、各ガス冷媒配管の冷媒流路を開閉する開閉弁と、ガス冷媒温度を検知する温度検知手段と、をそれぞれ設け、開閉弁を全開状態と全閉状態のほか微少開度開くように構成し、少なくとも１台の室内機が暖房運転中であり、かつ、少なくとも１台の他の室内機が停止中である状態から、停止中の室内機が暖房運転を開始するにあたり、停止中の室内機の温度検知手段により検知された検知温度が予め設定された所定条件を満たさない間は開閉弁を微少開度だけ開き、温度検知手段の検知温度が所定条件を満たしたときに開閉弁を全開にするものである。
【００１０】
そして、この発明の第３の発明に係わる空気調和装置は、ガス冷媒を吐出する圧縮機、および、圧縮機の冷媒吸込側に接続された室外熱交換器を有する室外機に対し、室外機の圧縮機の冷媒吐出側にガス冷媒配管を介して接続された室内暖房用の室内熱交換器、および、室内熱交換器の冷媒出側と室外機の室外熱交換器の冷媒入側へつながる液冷媒配管との間に設けられた絞り装置を有する室内機を、複数台並列に接続して成る空気調和装置において、各室内機へ分岐するガス冷媒配管の分岐部よりも各室内熱交換器寄りに、各ガス冷媒配管の冷媒流路を開閉する開閉弁をそれぞれ設け、各室内機毎の停止時間を計時する停止時間タイマを備え、開閉弁を全開状態と全閉状態のほか微少開度開くように構成し、少なくとも１台の室内機が暖房運転中であり、かつ、少なくとも１台の他の室内機が停止中である状態から、停止中の室内機が暖房運転を開始するにあたり、停止時間タイマにより計時された室内機の停止時間が予め設定された所定条件を満たさない間は当該室内機の開閉弁を微少開度だけ開き、停止時間タイマにより計時された停止時間が所定条件を満たしたときに開閉弁を全開にするものである。
【００１２】
また、この発明の第４の発明に係わる空気調和装置は、前記した各構成において、開閉弁を微少開度開いた状態から全開の状態へ開くにあたり、開閉弁を微少開度開いた状態から全開の状態まで時間経過につれてステップ状に変化させるものである。
【００１３】
そして、この発明の第５の発明に係わる空気調和装置は、前記した各構成において、複数台の室内機を、運転と停止が同期して行われる室内機から成るグループにグループ分けするとともに、各グループへ分岐するガス冷媒配管の分岐部よりも各室内機寄りに、各ガス冷媒配管の冷媒流路を開閉する開閉弁をそれぞれ設けたものである。
【００１５】
また、この発明の第６の発明に係わる開閉弁は、前記した各構成による空気調和装置に用いられる開閉弁であって、ガス冷媒配管がそれぞれ接続されるガス冷媒入側穴およびガス冷媒出側穴を有する弁ケーシングと、弁ケーシングに形成されたロータ収容空間内に回動自在に配備されて連通穴を有するロータ弁体と、ロータ収容空間内のロータ弁体を回転駆動し、ガス冷媒入側穴およびガス冷媒出側穴に対し当該連通穴の冷媒流路断面積を変化させるモータと、弁ケーシングに形成され、絞り装置の絞り弁体を移動自在の状態で収容する絞り弁収容空間と、絞り弁収容空間内に形成されて絞り弁体により開閉される弁座と、を備えて成り、ロータ弁体を回転駆動するモータにより絞り弁収容空間内の絞り弁体を弁座に対し開閉駆動するように構成するとともに、モータの駆動連結先をロータ弁体または絞り弁体に切り替える駆動切替手段を備えているものである。
【００１６】
そして、この発明の第７の発明に係わる開閉弁は、前記した各構成において、ロータ弁体に連通穴を複数設けるとともに、弁ケーシングにはロータ弁体のそれぞれの連通穴と開閉可能に連通する冷媒入側穴および冷媒出側穴を複数組設けたものである。
【００１７】
【発明の実施の形態】
以下、本発明の実施形態を図面に基づいて詳しく説明する。
【００１８】
発明の実施の形態１．
図１はこの発明の実施の形態１に係る空気調和装置の冷媒系を中心とする全体構成図である。
図１において、１は室外機、２はガス冷媒を吐出する圧縮機、３は冷媒流れ方向を切換える四方弁、４は圧縮機２の冷媒吸込側に配管接続された室外熱交換器、５は圧縮機２の冷媒出側と室内暖房用の室内機とを接続するガス冷媒配管、６は室内機の冷媒出側と室外機１の室外熱交換器４の冷媒入側とを接続する液冷媒配管、７，８，９は運転・停止を個別自由に行うことのできる室内機、１３，１４，１５は室内熱交換器、１０，１１，１２はそれぞれ室内熱交換器１３，１４，１５の冷媒出側の液冷媒配管６に設けられた絞り装置を表している。
前記の室外機１は、圧縮機２と、四方弁３と、室外熱交換器４とから構成されている。各室内機７，８，９は、それぞれ、室内熱交換器１３，１４，１５と、絞り装置１０，１１，１２とを備えている。
そして、この空気調和装置の各室内機７，８，９には、各室内熱交換器１３，１４，１５へ分岐する分岐部５ａよりも室内熱交換器寄りの各ガス冷媒配管５，５，５に、それぞれの冷媒流路を開閉する開閉弁１６，１７，１８が設けられている。これら開閉弁１６，１７，１８、絞り装置１０，１１，１２、四方弁３の動作や、圧縮機２の運転容量は、マイクロコンピュータなどに代表される制御装置９０により制御される。
【００１９】
次に、図１の空気調和装置による暖房運転時の冷媒回路動作を説明する。圧縮機２で圧縮された高温高圧のガス冷媒は四方弁３で流れ方向をガス冷媒配管５の方に切り替えられ、ガス冷媒配管５を通過して室内機７，８，または９へ流入し、開閉弁１６，１７，または１８を通過して室内熱交換器１３，１４，または１５で凝縮液化する。凝縮液化した冷媒は絞り装置１０，１１，または１２で減圧されて低圧二相状態となり、液冷媒配管６を通過して室外機１に戻り、室外熱交換器４で蒸発して低圧ガス状態となったのち、圧縮機２に吸入される。
【００２０】
次に、図１の空気調和装置における開閉弁１６，１７，１８の制御方法を説明する。室内機７，８，９のうち何れかの室内機、またはすべての室内機が暖房運転を行う場合に、制御装置９０は暖房運転を行う室内機の開閉弁を開弁し、何れかの室内機、またはすべての室内機が停止する場合には、停止する室内機の開閉弁を閉弁する。
また、絞り装置１０，１１，１２についても開閉弁１６，１７，１８と同様に、制御装置９０は室内機７，８，または９のうち何れかの室内機、またはすべての室内機が暖房運転を行う場合に、暖房運転を行う室内機の絞り装置が暖房運転に必要な所定の開度となるように制御し、何れかの室内機、またはすべての室内機が停止する場合には、停止する室内機の絞り装置が全閉となるように制御する。例えば、すべての室内機７，８，９が暖房運転をしているときに室内機７を停止させる場合、制御装置９０は室内機７の開閉弁１６を閉弁し、絞り装置１０を全閉にするのである。
尚、ここでは室内機の総数が３台の場合を考えたが、室内機の総数が２台以下、または４台以上の場合も同様である。
【００２１】
上記のように構成すると、室内機の停止中は開閉弁と絞り装置が全閉となり、停止中の室内機に冷媒が流入しなくなる。そのため、室内熱交換器で冷媒が凝縮して冷媒が溜まり込むのを防ぐことができる。これにより停止中の室内機に冷媒が溜まり込んで冷凍サイクル内を流通する冷媒の量が不足するということがなくなるため、例えば圧縮機の吐出温度が上昇し過ぎて圧縮機が損傷するといった、冷凍サイクル内の冷媒不足に起因する不具合を回避することができる。
また、停止中の室内機の室内熱交換器で冷媒が凝縮しなくなるため、冷媒が凝縮するときの熱エネルギーの発生がなくなる。従って、停止中の室内機における熱エネルギーロスを解消することができ、省エネルギーにつながる。
更には、前記のように停止中の室内機から熱が発生しなくなるため、室内機が停止中にもかかわらず室内機の設置された部屋の室温が上昇するといったことがなくなるという利点もある。
【００２２】
発明の実施の形態２．
この発明の実施の形態２による空気調和装置では、弁開度全開時における開閉弁１６，１７，または１８の冷媒流路断面積が、当該開閉弁１６，１７，または１８が配備されるガス冷媒配管５，５，５の冷媒流路断面積とほぼ同じに設定されている。例えば、後述する図1４から図１６に示した連通穴３３，４０，５２，５３と、配管５，５０，５１との関係と同様に設定されている。
【００２３】
上記のように構成したことにより、室内機が室外機よりも高所に設置された場合や、室外機と室内機が遠距離に離れて設置された場合などで室内機と室外機を結ぶ延長配管による圧力損失が大きい場合に、全開時の圧力損失が大きい開閉弁を用いると発生するような、冷凍サイクル全体の圧力損失の過大に起因する圧縮機の吸入圧力低下に伴う圧縮機損傷などの不具合、または冷凍サイクルの冷媒循環量の低下に伴う室内機の暖房能力または冷房能力の低下といった不具合を回避することができる。尚、開閉弁１６，１７，１８の冷媒流路断面積は、ガス冷媒配管５，５，５の冷媒流路断面積以上に設定したものでも構わない。
【００２４】
発明の実施の形態３．
この発明の実施の形態３による空気調和装置では、開閉弁１６，１７，または１８が全開状態と全閉状態のほか、微少開度だけ開くようにも構成されている。
この開閉弁を用いた空気調和装置の制御を図２のフローチャートを用いて説明する。図２のフローチャートでは制御の対象となる開閉弁が設置されている室内機を、「対象室内機」と表記している。そこで、制御装置９０は、ステップＳ１において対象室内機が暖房運転を開始するかを判定し、開始しなければ開始するまで判定を続け、開始すればステップＳ２へ進む。ステップＳ２では対象室内機の他に暖房運転中の室内機が存在するかを判定し、存在する場合にはステップＳ３へ、存在しない場合にはステップＳ５へ進む。ステップＳ３では対象室内機の開閉弁をいったん微少開度に開いてそのまま保持し、ステップＳ４へ進む。ステップＳ４では予め設定された所定条件（他の所要運転条件）を満足するかの判定を行い、その条件を満足しない場合には満足するまで判定を続け、その条件を満足する場合にはステップＳ５へ進む。その後、ステップＳ５では対象室内機の開閉弁を全開とし、ステップＳ６へ進む。ステップＳ６では対象室内機が停止するかを判定し、停止しない場合には停止するまで判定を続け、停止する場合にはステップＳ７へ進む。ステップＳ７では対象室内機の開閉弁を全閉とし、ステップＳ１へ戻る。
【００２５】
上記のように構成したことにより、停止中の室内機が暖房運転を開始する際、開閉弁を全閉状態から全開状態へ直接移行させるのではなく、まず初めに開閉弁をいったん微少開度だけ開けて保持したのち開閉弁前後の圧力差を均圧にしてから開閉弁を全開とすることができる。これにより、開閉弁前後に圧力差がある場合で開閉弁を全閉状態から全開状態へ直接移行させる際に発生するバランス音を解消することができる。
【００２６】
発明の実施の形態４．
図３はこの発明の実施の形態４に係る空気調和装置の冷媒系を中心とする全体構成図である。図３中、図１に示した空気調和装置との同一部分には同一符号を付し、説明を省略する。図３の分岐部５ａから室内熱交換器１３，１４，１５寄りの各ガス冷媒配管５，５，５において、１９は室内熱交換器１３と開閉弁１６の間のガス冷媒配管５に取り付けられた圧力検知手段、２０は室内熱交換器１４と開閉弁１７の間のガス冷媒配管５に取り付けられた圧力検知手段、２１は室内熱交換器１５と開閉弁１８の間のガス冷媒配管５に取り付けられた圧力検知手段を表す。
【００２７】
次に、図３の空気調和装置における開閉弁の制御を図４のフローチャートを用いて説明する。図４中、図２にて説明したフローチャートとの同一部分には同一符号を付し、説明を省略する。制御装置９０は、ステップＳ３で対象室内機の開閉弁を微少開度だけ開いてステップＳ８に進む。ステップＳ８では対象室内機の圧力検知手段で検知されたガス冷媒圧力が予め設定された所定条件を満足しない間は満足するまで判定を繰り返し、満足する場合はステップＳ５へ進んで対象室内機の開閉弁を全開にしたのち、ステップＳ６，S７を経てステップＳ１へ戻る。
ここでいう「所定条件」とは、例えば「停止中の対象室内機が暖房運転を開始しようとするとき、既に暖房運転中である、対象室内機以外の室内機の圧力検知手段で検知された圧力に対し、もしくは既に暖房運転中の室内機が複数の場合における室内機それぞれの圧力検知手段で検知されたガス冷媒圧力の平均値に対し、対象室内機の圧力検知手段で検知された圧力が所定の範囲以内に接近するという条件」や、あるいは「室外機に設けられた高圧側の圧力検知手段で検知されたガス冷媒圧力に対し、対象室内機の圧力検知手段で検知されたガス冷媒圧力が所定の範囲以内に接近するという条件」などである。すなわち、「対象室内機の室内熱交換器内の圧力が運転中室内機の室内熱交換器内の圧力に対し所定の範囲内に接近し、対象室内機の開閉弁前後の圧力差がバランス音が発生しなくなる圧力差にまで均圧されたと判定することが可能な条件」である。
【００２８】
上記のように構成したことにより、開閉弁を微少開度だけ開いている時間を圧力検知手段の検知圧力に基づいて知り得るので、バランス音発生防止のために開閉弁を微少開度とする必要のある時間を正確に検知することができる。これによって、室内熱交換器へは微少流量しか冷媒が流入しなくなるため、室内機の暖房能力が非常に小さくなる、すなわち開閉弁が微少開度である時間を必要最小限に抑えることが可能となる。
【００２９】
発明の実施の形態５．
図５はこの発明の実施の形態５に係る空気調和装置の冷媒系を中心とする全体構成図である。図５中、図１に示した空気調和装置との同一部分には同一符号を付し、説明を省略する。図５の分岐部５ａから室内熱交換器１３，１４，１５寄りの各ガス冷媒配管５，５，５において、２２は室内熱交換器１３と開閉弁１６の間のガス冷媒配管５に取り付けられた温度検知手段、２３は室内熱交換器１４と開閉弁１７の間のガス冷媒配管５に取り付けられた温度検知手段、２４は室内熱交換器１５と開閉弁１８の間のガス冷媒配管５に取り付けられた温度検知手段を表す。
【００３０】
次に、図５の空気調和装置における開閉弁の制御を図６のフローチャートを用いて説明する。図６中、図２にて説明したフローチャートとの同一部分には同一符号を付し、説明を省略する。制御装置９０は、ステップＳ３で対象室内機の開閉弁を微少開度だけ開いてステップＳ９に進む。ステップＳ９では対象室内機の温度検知手段で検知されたガス冷媒温度が所定条件を満足しない間は満足するまで判定を繰り返し、満足する場合はステップＳ５へ進んで対象室内機の開閉弁を全開にしたのち、ステップＳ６，S７を経てステップＳ１へ戻る。
ここでいう「所定条件」とは、例えば「停止中の対象室内機が暖房運転を開始しようとするとき既に暖房運転中である、対象室内機以外の室内機の温度検知手段で検知されたガス冷媒温度に対し、もしくは既に暖房運転中の室内機が複数の場合における室内機それぞれの温度検知手段で検知されたガス冷媒温度の平均値に対し、対象室内機の温度検知手段で検知されたガス冷媒温度が所定の範囲以内に接近するという条件」や、あるいは「室外機の圧縮機吐出部からガス側延長配管までの所定の場所に設けられた温度検知手段で検知されたガス冷媒温度と、対象室内機の圧力検知手段で検知されたガス冷媒圧力が所定の範囲以内に接近するという条件」などである。すなわち、「対象室内機の室内熱交換器内の温度が運転中室内機の室内熱交換器内の温度に対し所定の範囲内に接近（つまり、冷媒がガス状態の場合は温度と圧力は一定の関係となるため、対象室内機の室内熱交換器内の圧力が運転中室内機の室内熱交換器内の圧力と所定の範囲内に接近すること）し、圧力差対象室内機の開閉弁前後の圧力差がバランス音を生じなくなる圧力差にまで均圧されたと判定することが可能な条件」である。
【００３１】
上記のように構成したことにより、開閉弁を微少開度だけ開いている時間を温度検知手段の検知温度に基づいて知り得るので、バランス音発生防止のために開閉弁を微少開度とする必要のある時間を正確に検知することができる。従って、室内熱交換器へは微少流量しか冷媒が流入しなくなるため、室内機の暖房能力が非常に小さくなる、すなわち開閉弁が微少開度である時間を必要最小限に抑えることが可能となる。
【００３２】
発明の実施の形態６．
図７はこの発明の実施の形態６に係る空気調和装置の冷媒系を中心とする全体構成図である。図７中、図１に示した空気調和装置との同一部分には同一符号を付し、説明を省略する。図７において、２５は室内機７の暖房運転と暖房運転の間の停止時間を計時する停止時間タイマ、２６は室内機８の暖房運転と暖房運転の間の停止時間を計時する停止時間タイマ、２７は室内機９の暖房運転と暖房運転の間の停止時間を計時する停止時間タイマを表す。
また、図９は図８のフローチャートにおけるステップＳ１０の所定条件の一例を説明するための図であり、グラフの横軸は対象室内機の停止時間タイマにより検知された停止時間、縦軸は開閉弁を微少開度にする時間である。また、Ｔ１は対象室内機の停止時間タイマにより検知された、開閉弁が閉弁状態から開弁状態へ直接移行してもバランス音が発生しない時間、Ｔ３はこの時間以上が経過すると開閉弁前後の圧力差が所定の値以上に大きくならなくなる時間、Ｔ２はＴ１＜Ｔ２＜Ｔ３の条件を満たす時間である。また、ｔ１，ｔ２，ｔ３はそれぞれ時間Ｔ１，Ｔ２，Ｔ３に対応する開閉弁を微少開度の状態に保持する時間を表す。
【００３３】
次に、図７の空気調和装置における開閉弁の制御を図８のフローチャートを用いて説明する。図８中、図２にて説明したフローチャートとの同一部分には同一符号を付し、説明を省略する。制御装置９０は、ステップＳ３で対象室内機の開閉弁を微少開度だけ開いてステップＳ１０に進む。ステップＳ１０では対象室内機の停止時間タイマにより検知された時間が予め設定された所定条件を満足しない間は満足するまで判定を繰り返し、満足する場合はステップＳ５へ進んで対象室内機の開閉弁を全開にしたのち、ステップＳ６，S７を経てステップＳ１へ戻る。
ここでいう「所定条件」とは、例えば図９のように、「対象室内機の停止時間タイマにより検知された時間がＴ１となるまでは開閉弁を微少開度にする時間をｔ１のように０もしくはごく短くし、対象室内機の停止時間タイマにより検知された時間がＴ２までの間は開閉弁を微少開度にする時間をｔ２のように、Ｔ２の大きさに例えば比例するよう増加させ、対象室内機の停止時間タイマにより検知された時間がＴ３以上となった後は開閉弁を微少開度にする時間をｔ３のように所定の値で一定にするといった条件」、すなわち「バランス音が発生しなくなるように開閉弁を微少開度とする必要がある時間の長さを、対象室内機の停止時間を基準として判定するような条件」である。
【００３４】
上記のように構成したことにより、開閉弁を微少開度だけ開いている時間を、停止時間タイマの計時時間に基づいて知り得るので、バランス音発生防止のために開閉弁を微少開度とする必要のある時間を正確に検知することができる。これにより、室内熱交換器へは微少流量しか冷媒が流入しなくなるため、室内機の暖房能力が非常に小さくなる、すなわち開閉弁が微少開度である時間を必要最小限に抑えることが可能となる。
【００３５】
発明の実施の形態７．
この発明の実施の形態７では、各室内機７，８，９毎の開閉弁１６，１７，１８が微少開度に保持される保持時間を計時する保持時間タイマを備えている。この保持時間タイマは前述した停止時間タイマ２５，２６，２７をそれぞれ兼用しても構わない。
【００３６】
次に、段落［００３５］で説明した開閉弁の制御を図１０のフローチャートを用いて説明する。図１０中、図２にて説明したフローチャートとの同一部分には同一符号を付し、説明を省略する。制御装置９０は、ステップＳ３で対象室内機の開閉弁を微少開度だけ開いてステップＳ１１に進む。ステップＳ１１では予め設定された所定時間が経過したかを判定し、経過していない場合は経過するまで判定を繰り返し、所定時間が経過した場合はステップＳ５へ進んで対象室内機の開閉弁を全開にしたのち、ステップＳ６，S７を経てステップＳ１へ戻る。
すなわち、この空気調和装置では、停止中の室内機が暖房運転を開始してその開閉弁が微少開度に保持されたときから保持時間タイマで計時された保持時間が、予め設定された所定時間を経過しない間は、当該室内機の開閉弁を微少開度に保持する。一方、保持時間タイマにより計時された保持時間が所定時間を経過したときに、開閉弁を全開にするようになっている。
【００３７】
上記のように、開閉弁を微少開度に保持する保持時間を予め設定された所定の時間とすると、発明の実施の形態４で説明したような圧力検知手段１９，２０，２１、発明の実施の形態５で説明したような温度検知手段２２，２３，２４、発明の実施の形態６で説明したような停止時間タイマ２５，２６，２７などを各室内機７，８，９に新たに設ける必要が無く、比較的単純な制御システムでバランス音発生を防止することが可能となる。
【００３８】
発明の実施の形態８．
この発明の実施の形態８では、発明の実施の形態４から発明の実施の形態７までで説明した開閉弁１６，１７、または１８を、微少開度だけ開いた状態から全開の状態へ開くにあたり、微少開度開いた状態から全開の状態までの時間経過につれてステップ状に開度を変化させるように構成されている。
【００３９】
次に、段落［００３８］で説明した開閉弁の制御を図１１のフローチャートを用いて説明する。図１１中、図２にて説明したフローチャートとの同一部分には同一符号を付し、説明を省略する。制御装置９０は、ステップＳ３で対象室内機の開閉弁を微少開度だけ開いてステップＳ１２に進む。ステップＳ１２では、図４のフローチャート中のステップＳ８の条件、図６中のステップＳ９の条件、図８中のステップＳ１０の条件、もしくは、図１０中のステップＳ１１の条件を満たさない場合はステップＳ１３へ進み、満たす場合はステップＳ５へ進む。ステップＳ１３では対象室内機の開閉弁の開度をバランス音が発生しない範囲で増加させてステップＳ１４へ進む。ステップＳ１４では対象室内機の開閉弁が全開か否かの判定を行い、全開の場合はステップＳ６へ進み、全開でない場合はステップＳ１２へ戻る。
【００４０】
次に、段落［００３９］で説明した開閉弁の制御を行った際の開閉弁の開度の変化を図１２を用いて説明する。図１２において、グラフの横軸は図４中のステップＳ８の条件、図６中のステップＳ９の条件、図８中のステップＳ１０の条件、もしくは、図１０中のステップＳ１１の条件がステップＳ５に進む方へ近付く方向を正とした軸を表し、縦軸は開閉弁の開度を表す。
【００４１】
上記のようにして、開閉弁を微少開度に開いて保持したままバランス音がしなくなる条件まで待つのではなく、バランス音が発生しない範囲で開閉弁の開度をステップ状に少しずつ開けていくことにより、バランス音の発生を防止しつつも開閉弁を全開とするまでの時間を短縮することが可能となる。
【００４２】
発明の実施の形態９．
図１３はこの発明の実施の形態９に係る空気調和装置の冷媒系を中心とする全体構成図である。図１３中、図１に示した空気調和装置との同一部分には同一符号を付し、説明を省略する。図１３において、例えば３台の室内機７，８，９は、ガス冷媒配管５の分岐部５ａにより、運転と停止が同期して行われる室内機７，８のグループと、室内機９のグループとにグループ分けして配管接続されている。室内機７，８へのガス冷媒配管５は分岐部５ｂで分岐している。この場合、分岐部５ａから各グループへ分岐したガス冷媒配管５，５に、各グループへの冷媒流路を開閉する開閉弁２８，１８がそれぞれ設けられている。そして、室内機７，８からの液冷媒配管６，６は合流部６ｂで合流し、更に合流部６ｂと室内機９からの液冷媒配管６，６は合流部６ａで合流している。
【００４３】
次に、図１３の空気調和装置の暖房運転時の動作を説明する。尚、図１３の空気調和装置の暖房運転時の動作において、図１の空気調和装置で説明した動作と同様の部分は省略する。図１３において、室外機１からのガス冷媒は、まず分岐部５ａにより分配され開閉弁１８と開閉弁２８へ向かう。開閉弁１８を通過した冷媒はそのまま室内機９の室内熱交換器１５へ流入する。一方、開閉弁２８を通過した冷媒は分岐部５ｂで分配されて室内機７の室内熱交換器１３と室内機８の室内熱交換器１４へ流入する。
【００４４】
次に、図１３の空気調和装置における開閉弁１８および開閉弁２８の制御方法を説明する。いま、室内機９が暖房運転を行い、同期して運転・停止が行われる室内機７および室内機８が停止するという場合を考える。すなわち、制御装置９０は、室内機９が暖房運転を行うにあたり開閉弁１８を開弁し、運転・停止が同期して行われる室内機７および室内機８を停止する際に開閉弁２８を閉弁するのである。
尚、ここでは室外機に接続される室内機の総数が３台、同期して運転・停止が行われる室内機が２台、暖房運転を行う室内機が１台、停止する室内機が２台の場合を考えたが、室外機に接続される室内機の総数が４台以上、同期して運転・停止が行われる室内機が３台以上、暖房運転を行う室内機が２台以上、停止する室内機が１台もしくは３台以上とした場合も同様である。
【００４５】
上記のように同期して運転・停止を行う室内機を一つのグループとし、そのグループ毎に一つの開閉弁を設ければ、発明の実施の形態１記載の空気調和装置と同等の効果を得つつも各室内機それぞれに開閉弁を設ける場合と比べて開閉弁の数を低減できるという利点がある。更には、発明の実施の形態４で説明した圧力検知手段１９，２０，２１、発明の実施の形態５で説明した温度検知手段２２，２３，２４、あるいは、発明の実施の形態６で説明した停止時間タイマ２５，２６，２７を設ける場合にも、同様にそれぞれの数を低減することが可能となる。
【００４６】
発明の実施の形態１０．
図１４は発明の実施の形態１乃至発明の実施の形態９で説明してきた開閉弁の内部構造の一例を示すものである。
図１４において、開閉弁１６ａは、ガス冷媒配管５，５がそれぞれ接続されるガス冷媒入側穴７１およびガス冷媒出側穴７２を有する弁ケーシング７０と、弁ケーシング７０に形成されたロータ収容空間７３内に回動自在に配備されたロータ弁体３２と、ロータ弁体３２をロータ収容空間７３内で回転駆動するモータ２９とを備えている。
また、図において、３０はモータ２９のモータ駆動軸の周りに取り付けられた磁石、３１は複数のギアを組み合わせたものからなり磁石３０とロータ弁体３２を駆動連結するギア部、３３はガス冷媒配管５，５の管内径とほぼ同径でロータ弁体３２に形成された連通穴、７４は弁ケーシング７０の上方に設置されて前記のモータ２９，磁石３０，ギア部３１を内蔵する本体ケースを表す。
【００４７】
次に、開閉弁１６ａの動作について説明する。図１４において、まずモータ２９が駆動すると、磁石３０がモータ駆動軸の回転に追従回転する。磁石３０の回転力はギア部３１で拡大されることによりロータ弁体３２を回転させる。そして、ロータ弁体３２の回転角度により、ガス冷媒入側穴７１およびガス冷媒出側穴７２に対する連通穴３３の開口面積（冷媒流路断面積）を変化させるようになっている。
【００４８】
段落［００４６］および［００４７］で説明した開閉弁１６ａは、従来用いられてきたパイロット作動方式の開閉弁に比べると、開弁動作および閉弁動作を流体の流れてくる方向に依存することなく行えるので、特殊な構造をとる必要がなく、流体に対する開口面積を大きくとることができる。また、全開状態と全閉状態だけでなく、モータ２９の回転を制御することにより連通穴３３の開口面積を変化させて流体の流量調節をすることが可能である。更には、開弁状態もしくは閉弁状態を維持するために開閉弁１６ａに通電しつづける必要がなく、電力が必要なのはロータ弁体３２を回転させる間のみであるため、省エネルギーにつながるといった利点がある。
【００４９】
発明の実施の形態１１．
図１５は図１４で説明した開閉弁１６ａの構造を応用したものであり、例えば図１中の開閉弁１６と絞り装置１０を一体化した装置を示している。
図１５に示す一体化装置では、弁ケーシング７５内の一側部に、絞り装置１０ａの絞り弁体４４を上下移動自在の状態で収容する絞り弁収容空間７６と、絞り弁収容空間７６内に形成されて絞り弁体４４により開閉される弁座４５とが設けられている。前記の絞り弁収容空間７６は液冷媒配管６と連通している。
また、図において、３４は図中の左右方向にスライドさせることが可能な機構を持つモータ、３５はモータ３４に追従して図中の左右方向にスライドする磁石、３６は磁石３５の回転力を伝えるギア、３７はギア３６と係脱可能に噛合して開閉弁１６ｂへ磁石３５の回転力を伝えるためのギア、３９はロータ弁体、３８は複数のギアを組み合わせたものでギア３７からの回転力をロータ弁体３９に伝えるギア部、４０はガス冷媒配管５，５（ここでは図示せず）の配管径とほぼ同径でロータ弁体３９に設けられた連通穴、４１はギア３６と係脱可能に噛合して磁石３５の回転力を絞り装置１０ａに伝えるギア、４２はギア４１の回転により上下動して絞り弁体４４を押下するニードル、４３は絞り弁体４４を弾性保持するベローズ、４５は弁座、７７はロータ弁体３９を回動自在に収容するロータ収容空間７８を有する弁ケーシングを表す。前記の弁ケーシング７７は弁ケーシング７５の下方で絞り弁収容空間７６の側方に配備されている。また、モータ３４の駆動連結先をロータ弁体３９または絞り弁体４４に切り替える駆動切替手段７９を備えている。
【００５０】
次に、図１５に示した開閉弁１６ｂと絞り装置１０ａの一体化装置の動作について説明する。前記装置が開閉弁として動作する場合には、駆動切替手段７９の駆動により、モータ３４、磁石３５、ギア３６が一体で図中の右方向にスライドし、ギア３６とギア３７が噛合することにより、磁石３５の回転力がギア部３８を介してロータ弁体３９へ伝えられる。以下、発明の実施の形態１０で説明したのと同様の開閉弁動作が行われる。
一方、前記装置が絞り装置として動作する場合には、駆動切替手段７９の反対方向駆動により、モータ３４、磁石３５、およびギア３６が一体で図中の左方向にスライドし、ギア３７とギア４１が噛合する。これにより、磁石３５の回転力でギア４１が回転すると、閉弁時にはネジ機構によりニードル４２が図中の手前方向に押し下げられ絞り弁体４４と接触して下へ押し下げ、絞り弁体４４と便座４５との隙間を小さくしていく。他方、開弁時にはネジ機構によりニードル４２が図中の奥向きに押し上げられて絞り弁体４４と接触しなくなり、絞り弁体４４はベローズ４３による図中上向きの反発力により押し上げられて、弁座４５との隙間が大きくされる。
【００５１】
段落［００４９］および［００５０］で説明した開閉弁１６ｂと絞り装置１０ａの一体化装置は、開閉弁と絞り装置を個別にした場合と比べ、モータ３４が共通であるため、部品点数が少なくてコストを低減でき、また設置スペースおよび重量の低減につながるという利点がある。
【００５２】
発明の実施の形態１２．
図１６は図１４で説明した開閉弁１６ａの構造を応用して、開閉弁１６ａの動作を２本の配管に対して同時に行えるようにし、更に２本の配管の流路をバイパスさせることを可能としたものである。尚、図１６では配管が２本の場合を示しているが、配管が３本以上の場合も同様である。
図１６に示す開閉弁１６ｃにおいては、ロータ弁体４９に複数（例えば２つ）の連通穴５２，５３が設けられている。ロータ弁体４９を回動自由に収容する弁ケーシング８３のロータ収容空間８８には、ロータ弁体４９のそれぞれの連通穴５２，５３と開閉可能に連通する２組の冷媒入側穴８４，８５および冷媒出側穴８６，８７が設けられている。
また、図１６において、４６はモータ、４７は磁石、４８は複数のギアを組み合わせたものからなるギア部、５０は連通穴５２と連通する第１の配管、５１は連通穴５３と連通する第２の配管、５４は配管５１と配管５２をバイパスさせるためにロータ弁体４９に設けられたバイパス路、８９はモータ４６，磁石４７，ギア部４８を内蔵する本体ケースを表す。
そして、図１７は図１６中のロータ弁体４９のＡ−Ｂ線断面図であり、５５は連通穴５３の断面、５６はバイパス路５４の断面、５７，５８，５９，６０の矢印はロータ弁体４９が回転した際に流体が流れてくる方向を表す。
【００５３】
次に、図１６の開閉弁１６ｃの動作について説明する。図１６において、まずモータ４６が回転駆動すると、モータ駆動軸の周りに取り付けられた磁石４７がモータ４６の回転に追従回転する。磁石４７の回転力はギア部４８で拡大されることによりロータ弁体４９を回転させる。いま、ロータ弁体４９が図１７において時計回りに回転するとする。このとき、流体の流れてくる方向が図１７の矢印５８になると、開閉弁は配管５０および配管５１に対して全開となる。更に、ロータ弁体４９が回転して徐々に開度が小さくなっていき、流体の流れてくる方向が図１７の矢印５９になると、開閉弁は配管５０および配管５１に対して全閉となる。引き続き回転すると徐々に開度が大きくなっていき、流体の流れてくる方向が図１７の矢印６０になると、開閉弁は再び配管５０および配管５１に対して全開となる。更に回転して流体の流れてくる方向が図１７の矢印５７になると、開閉弁はバイパス路５４により配管５０と配管５１のバイパス路を形成するのである。
【００５４】
段落［００５２］および［００５３］で説明した開閉弁１６ｃは、発明の実施の形態１０で説明した開閉弁１６ａの動作を２本の配管に対して同時に行えるため、開閉弁を２本の配管に個別に設置した場合と比べ、部品点数が少なくてコストを低減でき、また設置スペースおよび重量の低減につながるという利点がある。そのうえ、発明の実施の形態１０で説明した開閉弁１６ａの動作を行えるだけでなく、２本の配管をバイパスさせるという機能も有しているため、例えば冷媒回路を保護するためのバイパス弁の機能を開閉弁に持たせることが可能となり、バイパス弁を別個に設ける場合と比べて、部品点数が少なくてコストを低減でき、また設置スペースおよび重量の低減につながるという利点がある。
【００５５】
【発明の効果】
以上詳述したように、この発明の第１の発明に係わる空気調和装置によれば、各室内機の暖房運転時に室内熱交換器の冷媒入口となるガス冷媒配管に開閉弁をそれぞれ設けたことにより、他に運転中の室内機が存在する場合でも停止中の室内機の室内熱交換器で冷媒が凝縮するのを防止することができる。これにより、停止中の室内機で発生する熱エネルギーのロスを解消することができ、省エネルギにつながる。更には、前述のように、停止中の室内機から熱が発生しなくなるため、室内機が停止中にもかかわらず当該室内機が設置された部屋の室温が上昇するということがなくなるという効果もある。
【００５７】
また、停止中の室内機の暖房運転を開始するにあたり、当該室内機の開閉弁をまず微少開度だけ開き、その後、全開にすることにより、暖房運転開始時に開閉弁を全閉状態から全開状態へ直接移行させた場合に発生するバランス音の発生を解消することが可能である。これにより、静粛性の高い室内機を実現できるという効果がある。
【００５８】
また、暖房運転の開始にあたり停止中の室内機の圧力検知手段により検知された検知圧力が予め設定された所定条件を満たさない間は当該室内機の開閉弁を微少開度だけ開き、圧力検知手段の検知圧力が所定条件を満たしたときに開閉弁を全開にするようにしたことにより、室内機の暖房能力が非常に小さくなるような、開閉弁が微少開度である時間を必要最小限にすることができる。従って、静粛性が高く、かつ、暖房運転を開始してから温風が出るまでの時間の短い室内機を実現できるという効果がある。
【００５９】
この発明の第２の発明に係わる空気調和装置によれば、暖房運転の開始にあたり停止中の室内機の温度検知手段により検知された検知温度が予め設定された所定条件を満たさない間は当該室内機の開閉弁を微少開度だけ開き、温度検知手段の検知温度が所定条件を満たしたときに開閉弁を全開にするようにしたことにより、室内機の暖房能力が非常に小さくなるような、開閉弁が微少開度である時間を必要最小限にすることができる。従って、静粛性が高く、かつ、暖房運転を開始してから温風が出るまでの時間の短い室内機を実現できるという効果がある。
【００６０】
この発明の第３の発明に係わる空気調和装置によれば、暖房運転の開始にあたり停止時間タイマにより計時された停止中の室内機の停止時間が予め設定された所定条件を満たさない間は当該室内機の開閉弁を微少開度だけ開き、停止時間タイマにより計時された停止時間が所定条件を満たしたときに開閉弁を全開にするようにしたことにより、室内機の暖房能力が非常に小さくなるような、開閉弁が微少開度である時間を必要最小限にすることができる。従って、静粛性が高く、かつ、暖房運転を開始してから温風が出るまでの時間の短い室内機を実現できるという効果がある。
【００６２】
この発明の第４の発明に係わる空気調和装置によれば、第１の発明乃至第３の発明の空気調和装置において、開閉弁を微少開度開いた状態から全開の状態まで直接移行させるのではなく、時間経過につれてステップ状に変化させることにより、開閉弁を微少開度から全開とするまでの時間を短縮することができる。従って、静粛性が高く、かつ、暖房運転を開始してから温風が出るまでの時間の短い室内機を実現できるという効果がある。
【００６３】
この発明の第５の発明に係わる空気調和装置によれば、第１の発明乃至第４の発明の空気調和装置において、グループ分けされた各グループへ分岐するガス冷媒配管の、分岐部よりも各室内機寄りに、各ガス冷媒配管の冷媒流路を開閉する開閉弁をそれぞれ設けたことにより、開閉弁の数を低減することができる。これによって、開閉弁の数の低減によるコストの低減、設置スペースの低減、および、設備重量の低減を実現できるという効果がある。
【００６４】
この発明の第６の発明に係わる空気調和装置に用いられる開閉弁によれば、弁ケーシングのガス冷媒入側穴およびガス冷媒出側穴に対しモータ駆動でロータ弁体を回転させて当該連通穴の冷媒流路断面積を変化させるようにしたことにより、弁全開時の流体の圧力損失が小さく、また、微少開度とすることも可能で、更には開弁動作、閉弁動作、および、微少開度にする動作などのように、弁開度を変化させる動作を流体の流れてくる方向に依存せずに行うことができる。これにより、従来のパイロット作動方式の開閉弁と比較して構成が簡単、かつ、低コストで実現することが可能となる。加えて、開弁状態もしくは閉弁状態を維持するために開閉弁に通電し続ける必要が無く、電力が必要なのはロータ弁体を回転させる間のみであるため、省エネルギにつながる開閉弁を実現できるという効果がある。
【００６５】
また、絞り弁収容空間内の絞り弁体を弁座に対し開閉駆動するように構成し、モータの駆動連結先をロータ弁体または絞り弁体に切り替えるようにしたことで、部品点数の低減によるコストの低減、設置スペースの低減、および、設備重量の低減を実現できるという効果がある。
【００６６】
この発明の第７の発明に係わる空気調和装置に用いられる開閉弁によれば、第６の発明の開閉弁において、ロータ弁体に連通穴を複数設けるとともに、弁ケーシングにはロータ弁体のそれぞれの連通穴と開閉可能に連通する冷媒入側穴および冷媒出側穴を複数組設けたことにより、複数の冷媒配管に対して同時に第１０の発明における開閉弁の動作を行うことが可能となる。これにより、部品点数の低減によるコストの低減、設置スペースの低減、および、設備重量の低減を実現できるという効果がある。
【図面の簡単な説明】
【図１】  本発明の実施の形態１，２，３に係わる空気調和装置の構成図である。
【図２】  本発明の実施の形態３に係わる空気調和装置に用いる開閉弁の制御方式を表すフローチャートである。
【図３】  本発明の実施の形態４に係わる空気調和装置の構成図である。
【図４】  本発明の実施の形態４に係わる空気調和装置に用いる開閉弁の制御方式を表すフローチャートである。
【図５】  本発明の実施の形態５に係わる空気調和装置の構成図である。
【図６】  本発明の実施の形態５に係わる空気調和装置に用いる開閉弁の制御方式を表すフローチャートである
【図７】  本発明の実施の形態６に係わる空気調和装置の構成図である。
【図８】  本発明の実施の形態６に係わる空気調和装置に用いる開閉弁の制御方式を表すフローチャートである
【図９】  本発明の実施の形態６に係わる空気調和装置に用いる開閉弁の経時動作を表す図である
【図１０】  本発明の実施の形態７に係わる空気調和装置に用いる開閉弁の制御方式を表すフローチャートである
【図１１】  本発明の実施の形態８に係わる空気調和装置に用いる開閉弁の制御方式を表すフローチャートである
【図１２】  本発明の実施の形態８に係わる空気調和装置に用いる開閉弁の経時動作を表す図である
【図１３】  本発明の実施の形態９に係わる空気調和装置の構成図である。
【図１４】  本発明の実施の形態１０に係わる開閉弁の構成図である。
【図１５】  本発明の実施の形態１１に係わる開閉弁の構成図である。
【図１６】  本発明の実施の形態１２に係わる開閉弁の構成図である。
【図１７】  図１６におけるＡ−Ｂ線断面図である。
【図１８】  従来の空気調和装置の構成図である。
【符号の説明】
１  室外機、２  圧縮機、４  室外熱交換器、５  ガス冷媒配管、５ａ  分岐部、６  液冷媒配管、７  室内機、８  室内機、９  室内機、１０  絞り装置、１０ａ  絞り装置、１１  絞り装置、１２  絞り装置、１３  室内熱交換器、１４  室内熱交換器、１５  室内熱交換器、１６  開閉弁、１６ａ  開閉弁、１６ｂ  開閉弁、１６ｃ  開閉弁、１７  開閉弁、１８  開閉弁、１９  圧力検知手段、２０  圧力検知手段、２１  圧力検知手段、２２  温度検知手段、２３  温度検知手段、２４  温度検知手段、２５  停止時間タイマ、２６  停止時間タイマ、２７  停止時間タイマ、２８  開閉弁、２９  モータ、３２  ロータ弁体、３３  連通穴、３４  モータ、３９  ロータ弁体、４０  連通穴、４４  絞り弁体、４５  弁座、４６  モータ、４９  ロータ弁体、５２  連通穴、５３  連通穴、７０  弁ケーシング、７１  ガス冷媒入側穴、７２  ガス冷媒出側穴、７３ロータ収容空間、７５  弁ケーシング、７６  絞り弁収容空間、７９  駆動切換手段、８３  弁ケーシング、８４  冷媒入側穴、８５  冷媒入側穴、８６  冷媒出側穴、８７  冷媒出側穴、９０  制御装置。
【図１】
0004383627.tif 000002
【図２】
0004383627.tif 000003
【図３】
0004383627.tif 000004
【図４】
0004383627.tif 000005
【図５】
0004383627.tif 000006
【図６】
0004383627.tif 000007
【図７】
0004383627.tif 000008
【図８】
0004383627.tif 000009
【図９】
0004383627.tif 000010
【図１０】
0004383627.tif 000011
【図１１】
0004383627.tif 000012
【図１２】
0004383627.tif 000013
【図１３】
0004383627.tif 000014
【図１４】
0004383627.tif 000015
【図１５】
0004383627.tif 000016
【図１６】
0004383627.tif 000017
【図１７】
0004383627.tif 000018
【図１８】
0004383627.tif 000019